(57)【要約】【課題】  ＳＮＭＰで管理できない装置の物理トポロジー情報を取得してネットワークを管理する。【解決手段】  処理装置１１は通信機器３の物理トポロジー情報の取得要求を処理装置２１に送信する。処理装置２１は通信機器２の全ポートに対してクライアント情報作成要求を送信する。処理装置３１はクライアント情報（通信機器３の物理トポロジー情報）を作成し、クライアント情報を処理装置２１に送信する。処理装置２１は受信した通信機器３の物理トポロジー情報を解析して通信装置２の物理トポロジー情報を作成し、処理装置１１に送信する。処理装置１１は処理装置２１から受信したデータを基に物理トポロジー情報を図示化して、出力装置１３に出力する。【選択図】      図１
2008028822.tif 000002
【特許請求の範囲】
【請求項１】
情報処理装置と第１の通信機器と第２の通信機器とを有するネットワークを管理するネットワーク管理システムであって、
前記情報処理装置は、前記第２の通信機器の物理トポロジー情報を前記第１の通信機器を経由して取得する、
ことを特徴とするネットワーク管理システム。
【請求項２】
前記第１の通信機器は、
前記第２の通信機器に物理トポロジー情報を要求する手段と、
前記第２の通信機器から物理トポロジー情報を受信する手段とを有し、
前記第２の通信機器は、
前記第１の通信機器から物理トポロジー情報要求を受信する手段と、
自己の物理トポロジー情報を作成する手段と、
作成した自己の物理トポロジー情報を前記第１の通信機器に送信する手段とを有する
ことを特徴とする請求項１記載のネットワーク管理システム。
【請求項３】
前記第１の通信機器は、
前記第２の通信機器の物理トポロジー情報を前記情報処理装置に送信する手段を有し、
前記情報処理装置は、
前記第１の通信機器から前記第２の通信機器の物理トポロジー情報を受信する手段を有する
ことを特徴とする請求項１または２記載のネットワーク管理システム。
【請求項４】
前記情報処理装置は、
自装置と前記第１の通信機器と前記第２の通信機器との間の物理トポロジー情報を出力する手段を有する
ことを特徴とする請求項１乃至３のいずれかに記載のネットワーク管理システム。
【請求項５】
前記情報処理装置は、ＳＮＭＰマネージャであり、前記第１の通信機器はＳＮＭＰエージェントであり、前記第２の通信機器は前記第１の通信機器と隣接する装置であることを特徴とする請求項１乃至４のいずれかに記載のネットワーク管理システム。
【請求項６】
情報処理装置が、第２の通信機器の物理トポロジー情報を第１の通信機器を経由して取得することを特徴とするネットワーク管理方法。
【請求項７】
前記第１の通信機器が、前記第２の通信機器に物理トポロジー情報を要求し、
前記第２の通信機器が、前記第１の通信機器から物理トポロジー情報要求を受信し、自己の物理トポロジー情報を作成し、作成した自己の物理トポロジー情報を前記第１の通信機器に送信し、
前記第１の通信機器が、前記第２の通信機器から物理トポロジー情報を受信する
ことを特徴とする請求項６記載のネットワーク管理方法。
【請求項８】
前記第１の通信機器が、前記第２の通信機器から受信した物理トポロジー情報を前記情報処理装置に送信し、
前記情報処理装置が、前記第１の通信機器から前記第２の通信機器の物理トポロジー情報を受信する
ことを特徴とする請求項６または７記載のネットワーク管理方法。
【請求項９】
前記情報処理装置が、自装置と前記第１の通信機器と前記第２の通信機器との間の物理トポロジー情報を出力することを特徴とする請求項６乃至８のいずれかに記載のネットワーク管理方法。
【請求項１０】
前記情報処理装置は、ＳＮＭＰマネージャであり、前記第１の通信機器はＳＮＭＰエージェントであり、前記第２の通信機器は前記第１の通信機器と隣接する装置であることを特徴とする請求項６乃至９のいずれかに記載のネットワーク管理方法。
【請求項１１】
ＳＮＭＰマネージャとして動作する手段と、第２の通信機器の物理トポロジー情報を、当該第２の通信機器と隣接し、ＳＮＭＰエージェントである第１の通信機器を経由して取得する手段とを備えたことを特徴とする情報処理装置。
【請求項１２】
ＳＮＭＰエージェントとして動作を行う手段と、隣接する通信装置の物理トポロジー情報をＳＮＭＰマネージャである情報処理装置に送信する手段とを備えたことを特徴とする通信機器。
【請求項１３】
ＳＮＭＰマネージャとして動作する処理と、第２の通信機器の物理トポロジー情報を、当該第２の通信機器と隣接し、ＳＮＭＰエージェントである第１の通信機器を経由して取得する処理とを情報処理装置に行わせることを特徴とするプログラム。
【請求項１４】
ＳＮＭＰエージェントとして動作する処理と、隣接する通信装置の物理トポロジー情報をＳＮＭＰマネージャである情報処理装置に送信する処理とを通信機器に行わせることを特徴とするプログラム。
【発明の詳細な説明】
【技術分野】
【０００１】
本発明は、ネットワーク管理システム、ネットワーク管理方法、情報処理装置、通信機器、およびプログラムに関し、特に、ＳＮＭＰ(Simple Network Management Protocol)で管理できない装置の物理トポロジー情報を取得してネットワークを管理するネットワーク管理システム、ネットワーク管理方法、情報処理装置、通信機器、およびプログラムに関する。
【背景技術】
【０００２】
従来のネットワーク管理システムの一例が特許文献１に記載されている。このシステムは、ＳＮＭＰに基づいて通信ネットワークの管理を行うシステムであり、分散マネージャとエージェントとを設け、次のように動作する。分散マネージャは、それぞれの管理範囲にある部分ネットワークに属するエージェント（ＳＮＭＰで言うエージェントである）からノード情報を取得して、ネットワークのトポロジー情報を生成する。分散マネージャは、さらに、他の分散マネージャとＳＮＭＰに基づいて通信を行い、他の分散マネージャが生成したトポロジー情報を取得して、通信ネットワーク全体のトポロジー情報を把握する。
【０００３】
【特許文献１】特開平９−９３２６５号公報
【発明の開示】
【発明が解決しようとする課題】
【０００４】
しかしながら、上述した背景技術において、ＳＮＭＰに基づいて通信ネットワークの物理トポロジー情報を取得・管理できるのは、ＳＮＭＰで管理できる装置（例えば、レイヤ３（ネットワーク層）以上の通信プロトコルを利用できる通信機器。ＳＮＭＰエージェントと称する）についてのみである。ＳＮＭＰエージェントとＳＮＭＰで管理できない装置（例えば、レイヤ２（データリンク層）の通信プロトコルを利用する通信機器）とが混在する場合、ネットワーク全体の物理トポロジー情報を管理することができないという問題があった。
【０００５】
その理由は、ＳＮＭＰで管理できない装置から物理トポロジー情報を取得することができないからである。
【０００６】
本発明の目的は、上述した従来の課題を解決するネットワーク管理システム、ネットワーク管理方法、情報処理装置、通信機器、およびプログラムを提供することにある。
【課題を解決するための手段】
【０００７】
本発明の第１のネットワーク管理システムは、情報処理装置と第１の通信機器と第２の通信機器とを有するネットワークを管理するネットワーク管理システムであって、前記情報処理装置は、前記第２の通信機器の物理トポロジー情報を前記第１の通信機器を経由して取得することを特徴とする。
【０００８】
本発明の第２のネットワーク管理システムは、第１のネットワーク管理システムにおいて、前記第１の通信機器は、前記第２の通信機器に物理トポロジー情報を要求する手段と、前記第２の通信機器から物理トポロジー情報を受信する手段とを有し、前記第２の通信機器は、前記第１の通信機器から物理トポロジー情報要求を受信する手段と、自己の物理トポロジー情報を作成する手段と、作成した自己の物理トポロジー情報を前記第１の通信機器に送信する手段とを有することを特徴とする。
【０００９】
本発明の第３のネットワーク管理システムは、第１または第２のネットワーク管理システムにおいて、前記第１の通信機器は、前記第２の通信機器の物理トポロジー情報を前記情報処理装置に送信する手段を有し、前記情報処理装置は、前記第１の通信機器から前記第２の通信機器の物理トポロジー情報を受信する手段を有することを特徴とする。
【００１０】
本発明の第４のネットワーク管理システムは、第１乃至第３のいずれかのネットワーク管理システムにおいて、前記情報処理装置は、自装置と前記第１の通信機器と前記第２の通信機器との間の物理トポロジー情報を出力する手段を有することを特徴とする。
【００１１】
本発明の第５のネットワーク管理システムは、第１乃至第４のいずれかのネットワーク管理システムにおいて、前記情報処理装置は、ＳＮＭＰマネージャであり、前記第１の通信機器はＳＮＭＰエージェントであり、前記第２の通信機器は前記第１の通信機器と隣接する装置であることを特徴とする。
【００１２】
本発明の第１のネットワーク管理方法は、情報処理装置が、第２の通信機器の物理トポロジー情報を第１の通信機器を経由して取得することを特徴とする。
【００１３】
本発明の第２のネットワーク管理方法は、第１のネットワーク管理方法において、前記第１の通信機器が、前記第２の通信機器に物理トポロジー情報を要求し、前記第２の通信機器が、前記第１の通信機器から物理トポロジー情報要求を受信し、自己の物理トポロジー情報を作成し、作成した自己の物理トポロジー情報を前記第１の通信機器に送信し、前記第１の通信機器が、前記第２の通信機器から物理トポロジー情報を受信することを特徴とする。
【００１４】
本発明の第３のネットワーク管理方法は、第１または第２のネットワーク管理方法において、前記第１の通信機器が、前記第２の通信機器から受信した物理トポロジー情報を前記情報処理装置に送信し、前記情報処理装置が、前記第１の通信機器から前記第２の通信機器の物理トポロジー情報を受信することを特徴とする。
【００１５】
本発明の第４のネットワーク管理方法は、第１乃至第３のいずれかのネットワーク管理方法において、前記情報処理装置が、自装置と前記第１の通信機器と前記第２の通信機器との間の物理トポロジー情報を出力することを特徴とする。
【００１６】
本発明の第５のネットワーク管理方法は、第１乃至第４のいずれかのネットワーク管理方法において、前記情報処理装置は、ＳＮＭＰマネージャであり、前記第１の通信機器はＳＮＭＰエージェントであり、前記第２の通信機器は前記第１の通信機器と隣接する装置であることを特徴とする。
【００１７】
本発明の第１の情報処理装置は、ＳＮＭＰマネージャとして動作する手段と、第２の通信機器の物理トポロジー情報を、当該第２の通信機器と隣接し、ＳＮＭＰエージェントである第１の通信機器を経由して取得する手段とを備えたことを特徴とする。
【００１８】
本発明の第１の通信機器は、ＳＮＭＰエージェントとして動作を行う手段と、隣接する通信装置の物理トポロジー情報をＳＮＭＰマネージャである情報処理装置に送信する手段とを備えたことを特徴とする。
【００１９】
本発明の第１のプログラムは、ＳＮＭＰマネージャとして動作する処理と、第２の通信機器の物理トポロジー情報を、当該第２の通信機器と隣接し、ＳＮＭＰエージェントである第１の通信機器を経由して取得する処理とを情報処理装置に行わせることを特徴とする。
【００２０】
本発明の第２のプログラムは、ＳＮＭＰエージェントとして動作する処理と、隣接する通信装置の物理トポロジー情報をＳＮＭＰマネージャである情報処理装置に送信する処理とを通信機器に行わせることを特徴とする。
【発明の効果】
【００２１】
本発明は、ＳＮＭＰのエージェントとして稼動する通信機器と、ＳＮＭＰを使って管理できない装置（例えば、レイヤ２スイッチ）とが混在するネットワークにおいて、ＳＮＭＰを使って管理できない装置を含めたネットワーク全体の物理トポロジー情報を管理できるという効果を有している。
【００２２】
その理由は、ＳＮＭＰのエージェントとして稼動している通信機器を使って、その通信機器と隣接するＳＮＭＰを使って管理できない装置の物理トポロジー情報を取得する手段を設けたからである。
【発明を実施するための最良の形態】
【００２３】
本発明は、ＴＣＰ／ＩＰ(Transmission Control Protocol/Internet Protocol)が利用されるネットワークにおいて、ＳＮＭＰを使って管理できない通信機器の物理トポロジー情報を取得することを特徴としている。
【００２４】
なお、物理トポロジー情報とは、通信機器同士が繋がっている線（ネットワークケーブル）が、通信機器の、どのスロットの、どのポートに挿してある線なのかを示す情報のことである。
【００２５】
以下に、本発明を実施するための最良の形態の構成について、図面を参照して詳細に説明する。
【００２６】
図１を参照すると、本発明の実施の形態は、情報処理装置１と、通信機器２と、通信機器３とを備えている。なお、図１において、通信機器２と通信機器３とを各１つ備えているが、各々複数存在してもよい。以降の説明で、情報処理装置１をマネージャ装置、通信機器２をエージェント装置、通信機器３をクライアント装置と称することがある。
【００２７】
情報処理装置１と通信機器２とは、ネットワーク４で接続され、ネットワーク層（ＯＳＩ(Open Systems Interconnection)参照モデルのレイヤ３）以上の通信プロトコル（例えば、ＳＮＭＰ）で通信する。また、通信機器２と通信機器３とは、ネットワーク５で接続され、データリンク層（ＯＳＩ参照モデルのレイヤ２）の通信プロトコル（例えば、Ｅｔｈｅｒｎｅｔ（登録商標））で通信を行う。
【００２８】
情報処理装置１は、プログラム制御で動作し、例えばパーソナルコンピュータなどである。情報処理装置１は、処理装置１１と、入力装置１２と、出力装置１３とを含んでいる。
【００２９】
処理装置１１は、ＳＮＭＰのマネージャとして動作する機能を有している。処理装置１１は、ＳＮＭＰマネージャ機能により、ＳＮＭＰエージェント（図１の例では通信機器２）との間のトポロジー情報をＳＮＭＰを使用して取得し、記憶部（図示せず）に記憶している。図１の例では、記憶部に、「情報処理装置と通信機器２とはネットワークで接続されている」を記憶している。なお、ＳＮＭＰマネージャ機能は周知であるので、ここでの説明は省略する。
【００３０】
また、処理装置１１は、図２で示すように、エージェント情報取得手段１１１と、エージェント情報解析手段１１２と、物理トポロジー情報作成手段１１３とを含んでいる。
【００３１】
エージェント情報取得手段１１１は、入力装置１２から入力されたデータを取得して解析する。そして、通信機器３の物理トポロジー情報の取得要求を作成し、エージェント機能が動作している通信機器２に送信する。
【００３２】
エージェント情報解析手段１１２は、通信機器２から送信されたエージェント情報を受信して、解析する。複数のエージェント装置（通信機器２）がある場合には、各エージェント装置からエージェント情報を受信して解析する。
【００３３】
物理トポロジー情報作成手段１１３は、物理トポロジー情報を作成して、出力装置１３に出力する。
【００３４】
入力装置１２は、データを入力する装置である。入力装置１２は、物理トポロジー情報を得たいクライアント装置（図１の例では通信機器３）と、それと隣接するエージェント装置（図１の例では通信機器２）とに関する情報を入力する。クライアント装置とエージェント装置とが隣接するとは、クライアント装置とエージェント装置とがネットワークケーブルで接続されていることを示している。
【００３５】
出力装置１３は、データを出力する装置で、例えばディスプレイ等の表示装置である。出力装置１３は、エージェント情報取得手段１１１が取得した情報を出力する。また、物理トポロジー情報作成手段１１３が作成した物理トポロジー情報を出力する。
【００３６】
通信機器２は、プログラム制御で動作する通信装置であり、処理装置２１と、スロットＡ２２とを含む。
【００３７】
処理装置２１は、ＳＮＭＰのエージェントとして動作する機能を有している。なお、ＳＮＭＰエージェント機能は周知であるので、ここでの説明は省略する。
【００３８】
また、処理装置２１は、図３で示すように、マネージャ要求取得手段２１１と、クライアント情報取得手段２１２と、クライアント情報解析手段２１３と、エージェント情報送信手段２１４とを含んでいる。
【００３９】
マネージャ要求取得手段２１１は、処理装置１１から送信された通信機器３の物理トポロジー情報の取得要求を受信する。
【００４０】
クライアント情報取得手段２１２は、通信機器２で装備している全ポートに対してクライアント情報作成要求を送信する。
【００４１】
クライアント情報解析手段２１３は、処理装置３１から送信されたクライアント情報（通信機器３の物理トポロジー情報）を受信して解析し、エージェント情報（通信機器２と通信機器３との間の物理トポロジー情報）を作成する。複数のクライアント装置（通信機器３）から物理トポロジー情報を受信したときには、エージェント情報として、通信機器２と複数のクライアント装置との間の物理トポロジー情報を作成する。通信機器３上でクライアント機能が動作していない場合や、通信機器２のポートに何も接続されていない場合は、クライアント情報解析手段２１３は、通信機器２にクライアント装置が繋がっていない旨のエージェント情報を作成する。
【００４２】
エージェント情報送信手段２１４は、クライアント情報解析手段２１３によって作成したエージェント情報を処理装置１１に対して送信する。
【００４３】
スロットＡ２２は、スロットにポート１からポート８の８個のポートを備えている。図１の例では、スロットＡ２２のポート１が、ネットワーク４を介して情報処理装置１に接続されている。また、スロットＡ２２のポート２は、ネットワーク５を介して通信機器３と接続されている。
【００４４】
通信機器３は、プログラム制御で動作し、例えばレイヤ２スイッチなどの装置である。通信機器３は、ＳＮＭＰを用いて管理できない装置であり、通信機器２とレイヤ２で通信を行う。通信機器３は、処理装置３１と、スロットＡ３２とを含む。
【００４５】
処理装置３１は、クライアント機能を有している。クライアントとして動作するために、図４で示すように、エージェント要求取得手段３１１と、クライアント情報作成手段３１２と、クライアント情報送信手段３１３とを含んでいる。
【００４６】
エージェント要求取得手段３１１は、クライアント情報取得手段２１２により送信されたクライアント情報作成要求を受信する。
【００４７】
クライアント情報作成手段３１２は、クライアント情報を作成する。クライアント情報とは、通信機器３の物理トポロジー情報のことである。
【００４８】
クライアント情報送信手段３１３は、クライアント情報作成手段３１２が作成したクライアント情報を処理装置２１に送信する。
【００４９】
スロットＡ３２は、スロットにポート１からポート８の８個のポートを備えている。図１の例では、スロットＡ３２のポート１は、ネットワーク５を介して通信機器２と接続されている。
【００５０】
次に、本発明を実施するための最良の形態の動作について、図１〜図８を参照して詳細に説明する。
【００５１】
図５を参照すると、先ず、入力装置１２より、物理トポロジー情報を得たい通信機器３とその通信装置３と隣接する通信機器２とに関する情報を入力する。処理装置１１のエージェント情報取得手段１１１は、入力装置１２から入力されたデータを取得して解析する。そして、エージェント情報取得手段１１１は、エージェント機能が動作している通信機器２に対して、通信機器３の物理トポロジー情報の取得要求を送信する（ステップＡ１）。
【００５２】
処理装置２１のマネージャ要求取得手段２１１は、処理装置１１（マネージャ）から送信された通信機器３の物理トポロジー情報の取得要求を受信する。（ステップＢ１）。
【００５３】
次に、クライアント情報取得手段２１２は、自装置（通信機器２）で装備している全ポートに対してクライアント情報作成要求を送信する（ステップＢ２）。この送信に対して、クライアント機能を有する装置（図１の例では通信機器３）のみが返信してくる。図１の例では、スロットＡ２２のポート１に情報処理装置１（マネージャ装置）が繋がっているが、情報処理装置１にクライアント情報作成要求を送信しても、情報処理装置１にはクライアント機能がないため、無視されるだけである。
【００５４】
処理装置３１のエージェント要求取得手段３１１は、クライアント情報取得手段２１２により送信されたクライアント情報作成要求を受信する（ステップＣ１）。このとき、エージェント要求取得手段３１１は、クライアント情報作成要求を、どのスロット番号のポート番号で受信したかを調べ、受信したスロット番号、ポート番号を記憶部（図示せず）に記憶する。図１の例では、「通信機器３のスロットＡのポート１で受信した」ことを記憶する。
【００５５】
クライアント情報作成手段３１２は、クライアント情報を作成して記憶部（図示せず）に記憶する（ステップＣ２）。すなわち、図１の例では、スロットＡ３２のポート１で受信したので、クライアント情報作成手段３１２は、「スロットＡのポート１」を、クライアント情報（通信機器３の物理トポロジー情報）として作成する（図７の（ａ）を参照）。このとき、通信機器３の物理トポロジー情報に通信機器３の装置ＩＤを付加してもよい。なお、装置ＩＤは、予め定められており、記憶部（図示せず）に記憶されている。
【００５６】
クライアント情報送信手段３１３は、処理装置２１に対して、クライアント情報（通信機器３の物理トポロジー情報）を送信する（ステップＣ３）。
【００５７】
処理装置３１から返信があった場合（ステップＢ３の”Ｙｅｓ”）、処理装置２１のクライアント情報解析手段２１３は、処理装置３１から送信された通信機器３の物理トポロジー情報を受信・取得して記憶部（図示せず）に記憶する（ステップＢ４）。
【００５８】
クライアント情報解析手段２１３は、通信機器３の物理トポロジー情報を、どのスロット番号のポート番号で受信したかを調べ、受信したスロット番号、ポート番号を記憶部（図示せず）に記憶する。図１の例では、「通信機器２のスロットＡのポート２で受信した」ことを記憶する。そして、受信したスロット番号、ポート番号と、取得した通信機器３の物理トポロジー情報とから、通信機器２のスロットＡのポート２と通信機器３のスロットＡのポート１とが繋がっていると判断する。そして、「通信機器２のスロットＡのポート２と通信機器３のスロットＡのポート１とが繋がっている」を、エージェント情報（通信機器２が検出した物理トポロジー情報）として作成する（図７の（ｂ）を参照）（ステップＢ５）。
【００５９】
通信機器３上でクライアント機能が動作していない場合や、通信機器２のポートに何も接続されていない場合（ステップＢ３の”Ｎｏ”）、クライアント情報解析手段２１３は、エージェント情報として、「通信機器２のポートに何も接続されていない」を作成する（ステップＢ５）。
【００６０】
処理装置２１のエージェント情報送信手段２１４は、クライアント情報解析手段２１３が作成したエージェント情報を処理装置１１に対して送信する（ステップＢ６）。
【００６１】
処理装置１１のエージェント情報解析手段１１２は、処理装置２１から送信されたエージェント情報を受信して記憶部（図示せず）に記憶する。そして、記憶部（図示せず）に記憶したエージェント情報を読み出して物理トポロジー情報を解析し、「通信機器２のスロットＡのポート２と通信機器３のスロットＡのポート１とが繋がっている」ことを認識する。（ステップＡ２）。
【００６２】
物理トポロジー情報作成手段１１３は、エージェント情報解析手段１１２で解析・認識した情報（「通信機器２のスロットＡのポート２と通信機器３のスロットＡのポート１とが繋がっている」）と、情報処理装置１が保持する情報処理装置１と通信機器２との間の物理トポロジー情報とを基に、図示形式の物理トポロジー情報を作成して、出力装置１３に出力する（ステップＡ３）。
【００６３】
出力装置１３は、図示形式の物理トポロジー情報を画面に表示する（ステップＡ４）。物理トポロジー情報の図示例を図８に示す。
【００６４】
次に、本発明の実施の形態の効果について説明する。
【００６５】
本発明の効果は、ＳＮＭＰのエージェントとして稼動する通信機器と、ＳＮＭＰで管理できない装置（例えば、レイヤ２スイッチ）とが混在するネットワークにおいて、ＳＮＭＰで管理できない装置を含めたネットワーク全体の物理トポロジー情報を取得して管理できることである。
【００６６】
その理由は、ＳＮＭＰのエージェントとして稼動している通信機器を使って、その通信機器と隣接するＳＮＭＰで管理できない装置の物理トポロジー情報を取得する手段を設けたからである。
【図面の簡単な説明】
【００６７】
【図１】本発明の実施の形態の構成を示すブロック図である。
【図２】本発明の実施の形態における情報処理装置１の処理装置の構成を示す図である。
【図３】本発明の実施の形態における通信装置２の処理装置の構成を示す図である。
【図４】本発明の実施の形態における通信装置３の処理装置の構成を示す図である。
【図５】本発明の実施の形態の動作を示す流れ図である。
【図６】本発明の実施の形態を説明する図である。
【図７】本発明の実施の形態における物理トポロジーを説明する図である。
【図８】本発明の実施の形態における物理トポロジーの図示例を示す図である。
【符号の説明】
【００６８】
１    情報処理装置
２    通信機器
３    通信機器
４    ネットワーク
５    ネットワーク
１１    処理装置
１２    入力装置
１３    出力装置
２１    処理装置
２２    スロットＡ
３１    処理装置
３２    スロットＡ
１１１    エージェント情報取得手段
１１２    エージェント情報解析手段
１１３    物理トポロジー情報作成手段
２１１    マネージャ要求取得手段
２１２    クライアント情報取得手段
２１３    クライアント情報解析手段
２１４    エージェント情報送信手段
３１１    エージェント要求取得手段
３１２    クライアント情報作成手段
３１３    クライアント情報送信手段
【図１】
2008028822.tif 000003
【図２】
2008028822.tif 000004
【図３】
2008028822.tif 000005
【図４】
2008028822.tif 000006
【図５】
2008028822.tif 000007
【図６】
2008028822.tif 000008
【図７】
2008028822.tif 000009
【図８】
2008028822.tif 000010